(57)【特許請求の範囲】
【請求項１】
少なくとも差信号とパイロット搬送波信号を含むステレオ多重信号を分離するステレオデマルチプレクサにおいて、
上記ステレオ多重信号に固定周波数信号を混合して、該ステレオ多重信号を、変調差信号に等しいヘルパ信号の非同期複素ベースバンド信号にダウンコンバートする第１の複素ミキサ（１）と、
上記変調差信号の非同期複素ベースバンド信号が供給され、該変調差信号の非同期複素ベースバンド信号のサンプリングレートを間引き係数Ｎで間引きし、サンプリングレートが間引かれた変調差信号の非同期複素ベースバンド信号を生成する複素サンプリングレート間引き回路（２）と、
上記パイロット搬送波信号及び固定周波数信号から生成される第１の複素搬送波信号を、上記サンプリングレートが間引かれた変調差信号の非同期複素ベースバンド信号に混合して、該第１の複素搬送波信号と該サンプリングレートが間引かれた変調差信号の非同期複素ベースバンド信号を同期させ、該サンプリングレートが間引かれた変調差信号の非同期複素ベースバンド信号を同期検波する第２の複素ミキサ（３）とを備えるステレオデマルチプレクサ。
【請求項２】
上記パイロット搬送波信号が供給され、該パイロット搬送波信号の第２高調波にロックした複素ヘルパ搬送波信号を生成するデジタル位相ロックループ回路（４）と、
第１の複素ヘルパ搬送波信号が供給され、上記同期された変調差信号の複素ベースバンド信号の同相成分が同期及び同期検波された差信号であるヘルパ信号の同相成分を含み、該同期された変調差信号の複素ベースバンド信号の直交成分が該ヘルパ信号の直交成分を含むように、上記固定周波数信号の周波数及び補正する位相オフセットを有する第２の複素ヘルパ搬送波信号を、該第１の複素ヘルパ搬送波信号に混合して、上記第１の複素搬送波信号を生成する第３の複素ミキサ（５）とを備える請求項１記載のステレオデマルチプレクサ。
【請求項３】
上記パイロット搬送波信号が供給され、上記同期された変調差信号の複素ベースバンド信号の同相成分が同期及び同期検波された差信号であるヘルパ信号の同相成分を含み、該同期された変調差信号の複素ベースバンド信号の直交成分が該ヘルパ信号の直交成分を含むように、該パイロット搬送波信号の第２高調波及び上記固定周波数にロックし、補正する位相オフセットを導出する上記第１の複素搬送波信号を生成するデジタル位相ロックループ回路を備える請求項１記載のステレオデマルチプレクサ。
【請求項４】
上記サンプリングレートが間引かれた変調差信号の非同期複素ベースバンド信号が供給され、該変調差信号の非同期複素ベースバンド信号に第２の複素搬送波信号を混合して、ＲＤＳ及びＡＲＩ信号を生成する第４の複素ミキサ（６）を備える請求項１乃至３いずれか１項記載のステレオデマルチプレクサ。
【請求項５】
少なくとも差信号とパイロット搬送波信号を含むステレオ多重信号を分離するデマルチプレックス方法において、
上記ステレオ多重信号に固定周波数信号を混合して、該ステレオ多重信号を、変調差信号に等しいヘルパ信号の非同期複素ベースバンド信号にダウンコンバートするステップと、
上記変調差信号の非同期複素ベースバンド信号のサンプリングレートを間引き係数Ｎで間引きし、サンプリングレートが間引かれた変調差信号の非同期複素ベースバンド信号を生成するステップと、
上記パイロット搬送波信号及び固定周波数信号から生成される第１の複素搬送波信号を、上記サンプリングレートが間引かれた変調差信号の非同期複素ベースバンド信号に混合して、該第１の複素搬送波信号と該サンプリングレートが間引かれた変調差信号の非同期複素ベースバンド信号を同期させ、該サンプリングレートが間引かれた変調差信号の非同期複素ベースバンド信号を同期検波するステップとを有するデマルチプレックス方法。
【請求項６】
上記パイロット搬送波信号の第２高調波にロックした複素ヘルパ搬送波信号を生成するステップと、
上記同期された変調差信号の複素ベースバンド信号の同相成分が同期及び同期検波された差信号であるヘルパ信号の同相成分を含み、該同期された変調差信号の複素ベースバンド信号の直交成分が該ヘルパ信号の直交成分を含むように、上記固定周波数信号の周波数及び補正する位相オフセットを有する第２の複素ヘルパ搬送波信号を、該第１の複素ヘルパ搬送波信号に混合して、上記第１の複素搬送波信号を生成するステップとを有する請求項５記載のデマルチプレックス方法。
【請求項７】
上記同期された変調差信号の複素ベースバンド信号の同相成分が同期及び同期検波された差信号であるヘルパ信号の同相成分を含み、該同期された変調差信号の複素ベースバンド信号の直交成分が該ヘルパ信号の直交成分を含むように、該パイロット搬送波信号の第２高調波及び上記固定周波数にロックし、補正する位相オフセットを導出する上記第１の複素搬送波信号を生成するステップを有する請求項５記載のデマルチプレックス方法。
【請求項８】
上記サンプリングレートが間引かれた変調差信号の非同期複素ベースバンド信号に第２の複素搬送波信号を混合して、ＲＤＳ及びＡＲＩ信号を生成するステップを有する請求項５乃至７いずれか１項記載のデマルチプレックス方法。
【請求項９】
コンピュータ又はデジタルシグナルプロセッサが読取り可能な記録媒体に記録され、該コンピュータ又はデジタルシグナルプロセッサによって読み取られたときに、該コンピュータ又はデジタルシグナルプロセッサが少なくとも差信号とパイロット搬送波信号を含むステレオ多重信号を分離するための実行可能なインストラクションを含むコンピュータプログラムにおいて、
当該コンピュータプログラムは、上記コンピュータ又はデジタルシグナルプロセッサに、
上記ステレオ多重信号に固定周波数信号を混合して、該ステレオ多重信号を、変調差信号に等しいヘルパ信号の非同期複素ベースバンド信号にダウンコンバートするステップと、
上記変調差信号の非同期複素ベースバンド信号のサンプリングレートを間引き係数Ｎで間引きし、サンプリングレートが間引かれた変調差信号の非同期複素ベースバンド信号を生成するステップと、
上記パイロット搬送波信号及び固定周波数信号から生成される第１の複素搬送波信号を、上記サンプリングレートが間引かれた変調差信号の非同期複素ベースバンド信号に混合して、該第１の複素搬送波信号と該サンプリングレートが間引かれた変調差信号の非同期複素ベースバンド信号を同期させ、該サンプリングレートが間引かれた変調差信号の非同期複素ベースバンド信号を同期検波するステップとを実行させることを特徴とするコンピュータプログラム。
【発明の詳細な説明】
【０００１】
【発明の属する技術分野】
本発明は、ステレオデマルチプレクサ及びデマルチプレックス方法に関し、特に、ステレオ差信号の同相成分及び直交成分の復調を効率的な演算パワーで実行するステレオデマルチプレクサ及びデマルチプレックス方法に関する。
【０００２】
【従来の技術】
本願出願人は、欧州特許出願９９１２０７９８．６号において、演算パワーの効率化を図ったステレオデマルチプレクサを提案している。この出願は、引用することにより本願に援用される。このステレオデマルチプレクサは、ステレオ差信号の復調を効率的な演算パワーで実行するが、復調される成分は、変調されたステレオ差信号の同相成分のみである。
【０００３】
【発明が解決しようとする課題】
また、本願出願人は、欧州特許出願００１２４４６６．４号において、雑音除去装置を提案しており、この出願は、引用することにより本願に援用される。この雑音除去装置は、雑音除去処理のために、ステレオ差信号の同相成分と直交成分の両方の復調を必要とする。
【０００４】
そこで、本発明の目的は、ステレオ差信号の同相成分及び直交成分の復調を効率的な演算パワーで実行するステレオデマルチプレクサ及びデマルチプレックス方法を提供することである。
【０００５】
【課題を解決するための手段】
上述の目的を達成するために、本発明に係るステレオデマルチプレクサは、少なくとも差信号とパイロット搬送波信号を含むステレオ多重信号を分離するステレオデマルチプレクサにおいて、ステレオ多重信号に固定周波数信号を混合して、ステレオ多重信号を、変調差信号に等しいヘルパ信号の非同期複素ベースバンド信号にダウンコンバートする第１の複素ミキサと、変調差信号の非同期複素ベースバンド信号が供給され、変調差信号の非同期複素ベースバンド信号のサンプリングレートを間引き係数Ｎで間引きし、サンプリングレートが間引かれた変調差信号の非同期複素ベースバンド信号を生成する複素サンプリングレート間引き回路と、パイロット搬送波信号及び固定周波数信号から生成される第１の複素搬送波信号を、サンプリングレートが間引かれた変調差信号の非同期複素ベースバンド信号に混合して、第１の複素搬送波信号とサンプリングレートが間引かれた変調差信号の非同期複素ベースバンド信号を同期させ、サンプリングレートが間引かれた変調差信号の非同期複素ベースバンド信号を同期検波する第２の複素ミキサとを備える。
【０００６】
また、上述の目的を達成するために、本発明に係るデマルチプレックス方法は、少なくとも差信号とパイロット搬送波信号を含むステレオ多重信号を分離するデマルチプレックス方法において、ステレオ多重信号に固定周波数信号を混合して、ステレオ多重信号を、変調差信号に等しいヘルパ信号の非同期複素ベースバンド信号にダウンコンバートするステップと、変調差信号の非同期複素ベースバンド信号のサンプリングレートを間引き係数Ｎで間引きし、サンプリングレートが間引かれた変調差信号の非同期複素ベースバンド信号を生成するステップと、パイロット搬送波信号及び固定周波数信号から生成される第１の複素搬送波信号を、サンプリングレートが間引かれた変調差信号の非同期複素ベースバンド信号に混合して、第１の複素搬送波信号とサンプリングレートが間引かれた変調差信号の非同期複素ベースバンド信号を同期させ、サンプリングレートが間引かれた変調差信号の非同期複素ベースバンド信号を同期検波するステップとを有する。
【０００７】
本発明に係るステレオデマルチプレクサ及びデマルチプレックス方法では、同期及び同期検波に必要なサイン及びコサイン演算の数を最小化することができる。サイン及びコサイン演算は、低減されたサンプリングレートで実行される。低減されたサンプリングレートの各サンプル毎に、１回のサイン演算及び１つのコサイン演算を実行すればよい。
【０００８】
特に、本発明では、差信号の同相成分のみならず、差信号の直交成分が同期及び同期検波されるので、ステレオ差信号の復調を効率的な演算パワーで実行できるとともに、雑音除去処理を組み合わせて行うこともできる。さらに、本発明に係るステレオデマルチプレクサでは、ステレオ差信号のサンプリングレートの間引き処理に使用されるサンプリングレートデシメーションフィルタによって、ＲＤＳ及びＡＲＩ搬送波のダウンコンバート処理及びサンプリングレートの間引き処理も行うことができるので、ＲＤＳ及びＡＲＩ信号のデジタル復調をデマルチプレックス処理に組み合わせて実行することができる。サンプリングレートが間引かれた変調差信号の非同期複素ベースバンド信号は、ＡＲＩ及びＲＤＳデータ信号の復号に使用することができるので、本発明に基づくステレオデマルチプレクサでは、ＲＤＳ搬送波同期ループ（コスタスループ）は、同期及び同期検波に必要なデジタル位相ロックループ（Digital Phase Locked Loop：ＤＰＬＬ）回路のトラッキングによる影響を受けず、したがって、より高速なＲＤＳ同期が実現される。
【０００９】
すなわち、変調差信号をヘルパ信号とすると、本発明に基づくステレオデマルチプレクサは、好ましくは、パイロット搬送波信号が供給され、パイロット搬送波信号の第２高調波にロックした複素ヘルパ搬送波信号を生成するデジタル位相ロックループ回路と、第１の複素ヘルパ搬送波信号が供給され、同期された変調差信号の複素ベースバンド信号の同相成分が同期及び同期検波された差信号であるヘルパ信号の同相成分を含み、同期された変調差信号の複素ベースバンド信号の直交成分がヘルパ信号の直交成分を含むように、固定周波数信号の周波数及び補正する位相オフセットを有する第１の複素ヘルパ搬送波信号を、第１の複素ヘルパ搬送波信号に混合して、第１の複素搬送波信号を生成する第３の複素ミキサとを備える。
【００１０】
これに代えて、ＤＰＬＬは、パイロット搬送波信号が供給され、このパイロット搬送波信号に基づいて、同期された変調差信号の複素ベースバンド信号の同相成分が同期及び同期検波された差信号であるヘルパ信号の同相成分を含み、同期された変調差信号の複素ベースバンド信号の直交成分がヘルパ信号の直交成分を含むように、パイロット搬送波信号の第２高調波及び固定周波数にロックし、補正する位相オフセットを導出する第１の複素搬送波信号を生成してもよい。
【００１１】
さらに、ＲＤＳ及びＡＲＩ信号を復調するために、本発明に係るデマルチプレクサは、サンプリングレートが間引かれた変調差信号の非同期複素ベースバンド信号が供給され、サンプリングレートが間引かれた変調差信号の非同期複素ベースバンド信号に第２の複素搬送波信号を混合して、ＲＤＳ及びＡＲＩ信号を生成する第４の複素ミキサを備えていてもよい。
【００１２】
【発明の実施の形態】
以下、本発明に係るステレオデマルチプレクサ及びデマルチプレックス方法について、図面を参照して詳細に説明する。
【００１３】
図１は、発明を適用した、雑音除去、ＲＤＳ及びＡＲＩ信号のデジタル復調機能を有するステレオデマルチプレクサの構成を示すブロック図である。このステレオデマルチプレクサの和信号の信号パス（以下、和信号パスという）は、欧州特許出願９９１２０７９８．６号に開示されているデジタルステレオデマルチプレクサの信号パスに類似している。図１に示すステレオデマルチプレクサの和信号パスにおいて、ステレオ多重信号は、第１のローパスフィルタ／サンプリングレート間引き回路（sampling rate decimating unit）７に供給され、第１のローパスフィルタ／サンプリングレート間引き回路７からの出力信号は、第１のローパスフィルタ８により再びローパスフィルタリングされ、減算器９に被減数として、及び加算器１０に被加数として供給される。減算器９は、処理されたステレオ差信号が減数として供給され、右オーディオ信号を出力する。加算器１０は、処理されたステレオ差信号が被加数として供給され、左オーディオ信号を出力する。
【００１４】
また、差信号パスにおいて、ステレオ多重信号が第１のミキサ１に供給され、第１のミキサ１は、ステレオ多重信号に固定周波数信号を混合して、ステレオ多重信号を変調差信号、すなわちヘルパ信号（helper signal）の同期されていない（以下、非同期という）複素ベースバンド信号にダウンコンバートする。この第１のミキサ１から出力されるヘルパ信号の非同期複素ベースバンド信号（以下、単に非同期複素ベースバンド信号という）は、第２のローパスフィルタ／サンプリングレート間引き回路２に供給され、第２のローパスフィルタ／サンプリングレート間引き回路２は、和信号パスの第１のローパスフィルタ／サンプリングレート間引き回路７と同じ間引き係数Ｎを用いて、非同期複素ベースバンド信号のサンプリングレートを間引く。第２のローパスフィルタ／サンプリングレート間引き回路２からの出力信号は、第２の複素ミキサ３に供給され、第２の複素ミキサ３は、第１の複素搬送波信号を混合して、サンプリングレートが間引かれた非同期複素ベースバンド信号を、第１の複素搬送波信号に同期させ、同期検波する。同期及び同期検波された複素ベースバンド信号は、その同相成分に同期されたヘルパ信号、すなわち同期検波された差信号の同相成分を含み、及びその直交成分に同期されたヘルパ信号の直交成分を含み、第２のローパスフィルタ１１によってローパスフィルタリングされ、同相成分と直交成分を必要とする雑音除去回路１２に供給される。雑音除去回路１２は、雑音除去処理を行い、同相成分は、ミキサ１３によって、分離信号が混合されて、分離され、これにより、処理されたステレオ差信号が生成され、処理されたステレオ差信号は、上述のように、減算器９及び加算器１０に供給される。
【００１５】
第１の複素搬送波信号は、デジタル位相ロックループ（Digital Phase Locked Loop：以下、ＤＰＬＬという。）回路４によって生成される。ＤＰＬＬ回路４は、和信号パス内の第１のローパスフィルタ／サンプリングレート間引き回路７の出力信号からパイロット搬送波が供給され、パイロット搬送波の第２高調波にロックした第１の複素ヘルパ搬送波信号を生成する。第１の複素ヘルパ搬送波信号は、第３の複素ミキサ５に供給され、ベースバンドの差信号を同期させるために固定周波数信号が混合されるとともに、位相オフセットが補正される（correcting phase offset）。第３の複素ミキサ５は、上述した第１の複素搬送波信号を出力する。
【００１６】
第２のローパスフィルタ／サンプリングレート間引き回路２の出力信号は、第４の複素ミキサ６に供給され、第２の複素搬送波信号により復調される。第４の複素ミキサ６の出力信号は、第３の複素ローパスフィルタ／サンプリングレート間引き回路１４に供給され、第３の複素ローパスフィルタ／サンプリングレート間引き回路１４は、この信号を間引き係数Ｍで間引きして、コスタスループ回路１５に供給する。コスタスループ回路１５は、後段のＲＤＳデコーダ１６がＲＤＳ及びＡＲＩ信号を生成できるように、この信号の同期をとる。
【００１７】
以下、図１に示すＲＤＳデマルチプレクサの機能について説明する。ここでも変調差信号をヘルパ信号とも呼ぶ。
【００１８】
ヘルパ信号は、第１のミキサ１において、複素搬送波ｅ−ｊ２π（ｆｏ／（ＦＳ））ｋ、すなわち固定周波数を有する複素搬送波が混合されて、ダウンコンバートされる。この第１のミキサ１用の複素搬送波の周波数は固定されており、したがって、第１のミキサ１のサインの値及びコサインの値（sinus and cosinus values）は、非常に小さなテーブル（例えば、ｆｏ＝３８．４ｋＨｚの場合、エントリが２０以下のテーブル）に格納することができる。
【００１９】
第１のミキサ１から出力されるダウンコンバートされた複素ヘルパ信号は、第２のローパスフィルタ／サンプリングレート間引き回路２によって、フィルタリングされるとともに、間引き係数Ｎでサンプリングレートが間引かれる。このようにして生成された、サンプリングレートが間引かれた複素ヘルパ信号のベースバンド信号は、パイロット搬送波の第２高調波には同期していない。そこで、変調差信号の同相成分及び直交成分を生成するために、第２の複素ミキサ３により、複素ヘルパ信号のベースバンド信号の同期及び同期検波を行う。第２の複素ミキサ３は、非同期ヘルパベースバンド信号、すなわち同期していない複素ヘルパ信号のベースバンド信号に複素搬送波、すなわちＤＰＬＬ回路４により生成された第１の複素搬送波信号を混合する。この具体例では、図１に示すように、ＤＰＬＬ回路４は、３８ｋＨｚの複素搬送波ｅｊ（２ωπｐｉｌ／（ＦＳ／Ｎ））ｌ、すなわちパイロット搬送波の第２高調波にロックした第１の複素ヘルパ搬送波信号を出力する。この第１の複素ヘルパ搬送波信号は、第２の複素搬送波ヘルパ信号ｅｊ２π（ｆｏ／（ＦＳ／Ｎ））ｌ＋ｊφｏと混合され、ベースバンドのヘルパ信号を同期させ、及び同期検波するのに必要な第１の複素搬送波信号が算出される。補正する位相オフセットφｏを正しく設定することにより、複素ヘルパ信号のベースバンド信号の同相成分は、同期検波された差信号の同相成分を含み、直交成分は、同期検波されたヘルパ信号の直交成分を含む。なお、第１の複素搬送波ｅｊ（２ωｐｉｌ／（ＦＳ／Ｎ））ｌ＋ｊ２π（ｆｏ／（ＦＳ／Ｎ））ｌ＋ｊφｏは、ＤＰＬＬ回路４によって直接生成してもよく（図示せず）、図１に示すように、パイロット搬送波の第２高調波の直交成分ｅｊ（２ωｐｉｌ／（ＦＳ／Ｎ））ｌを用いて生成してもよい。
【００２０】
パイロット搬送波の第２高調波は、追加的なサイン及びコサイン演算（sinus and cosinus operations）を行うことなく、三角法変換（trigonometric transformations）を用いて、パイロット搬送波の同相成分及び直交成分から容易に算出することができる。追加的なサイン及びコサイン演算を行うことなく、差信号を復調するためには、ＤＰＬＬ回路４において、パイロット搬送波の同相成分及び直交成分が必要である。これに代えて、第３の複素ミキサ５を省略し、ＤＰＬＬ回路４において、第１の複素搬送波ｅｊ（２ωｐｉｌ／（ＦＳ／Ｎ））ｌ＋ｊ２π（ｆｏ／（ＦＳ／Ｎ））ｌ＋ｊφｏを直接算出してもよい。
【００２１】
ＲＤＳ及びＡＲＩ信号は、単純に、複素デシメーションフィルタ、具体的には第２の複素ローパスフィルタ／サンプリングレート間引き回路２の出力信号を用いて、ベースバンドの変調差信号に複素搬送波ｅ−ｊ２π（ｆ１／（ＦＳ／Ｎ））ｌを混合することにより生成することができる。すなわち、差信号パスのサンプリングレートデシメーションフィルタ（具体的には、第３の複素ローパスフィルタ／サンプリングレート間引き回路１４）及びミキサ６及びを用いて、ＡＲＩ及びＲＤＳデータ信号を復号することができる。この回路は、上述した特許出願における構成と異なり、ＲＤＳ搬送波同期ループ（コスタスループ１５）がＤＰＬＬ回路４のトラッキングに影響されないという利点を有する。したがって、より高速なＲＤＳの同期が達成される。
【００２２】
本発明に係るデジタルデマルチプレクサでは、追加的なサイン及びコサイン演算を行うことなく、より少ない演算パワーで、差信号の同相成分及び直交成分の同期検波を行うことができる。間引かれたサンプリングレートのサンプル毎に、１回のサイン及びコサイン演算を行えばよい。さらに、差信号のデシメーションフィルタ、具体的には第３の複素ローパスフィルタ／サンプリングレート間引き回路１４を用いて、ＲＤＳ信号のサンプリングレートを間引くことができ、ＤＰＬＬ回路４がＲＤＳ搬送波再生ループ（RDS carrier recovery loop）、具体的にはコスタスループ１５に影響を与えることを回避するとともに、ＤＰＬＬ回路４及び差信号の復調の全体が、低減されたサンプリングレートで機能する。
【００２３】
【発明の効果】
以上のように、本発明に係るステレオデマルチプレクサは、少なくとも差信号とパイロット搬送波信号を含むステレオ多重信号を分離するステレオデマルチプレクサにおいて、ステレオ多重信号に固定周波数信号を混合して、ステレオ多重信号を、変調差信号に等しいヘルパ信号の非同期複素ベースバンド信号にダウンコンバートする第１の複素ミキサと、変調差信号の非同期複素ベースバンド信号が供給され、変調差信号の非同期複素ベースバンド信号のサンプリングレートを間引き係数Ｎで間引きし、サンプリングレートが間引かれた変調差信号の非同期複素ベースバンド信号を生成する複素サンプリングレート間引き回路と、パイロット搬送波信号及び固定周波数信号から生成される第１の複素搬送波信号を、サンプリングレートが間引かれた変調差信号の非同期複素ベースバンド信号に混合して、第１の複素搬送波信号とサンプリングレートが間引かれた変調差信号の非同期複素ベースバンド信号を同期させ、サンプリングレートが間引かれた変調差信号の非同期複素ベースバンド信号を同期検波する第２の複素ミキサとを備える。これにより、ステレオ差信号の同相成分及び直交成分の復調を効率的な演算パワーで実行できる。
【００２４】
また、本発明に係るデマルチプレックス方法は、少なくとも差信号とパイロット搬送波信号を含むステレオ多重信号を分離するデマルチプレックス方法において、ステレオ多重信号に固定周波数信号を混合して、ステレオ多重信号を、変調差信号に等しいヘルパ信号の非同期複素ベースバンド信号にダウンコンバートするステップと、変調差信号の非同期複素ベースバンド信号のサンプリングレートを間引き係数Ｎで間引きし、サンプリングレートが間引かれた変調差信号の非同期複素ベースバンド信号を生成するステップと、パイロット搬送波信号及び固定周波数信号から生成される第１の複素搬送波信号を、サンプリングレートが間引かれた変調差信号の非同期複素ベースバンド信号に混合して、第１の複素搬送波信号とサンプリングレートが間引かれた変調差信号の非同期複素ベースバンド信号を同期させ、サンプリングレートが間引かれた変調差信号の非同期複素ベースバンド信号を同期検波するステップとを有する。これにより、ステレオ差信号の同相成分及び直交成分の復調を効率的な演算パワーで実行できる。
【図面の簡単な説明】
【図１】  本発明に基づくステレオデマルチプレクサの構成を示す図である。
【符号の説明】
１  第１のミキサ、２  第２のローパスフィルタ／サンプリングレート間引き回路、３  第２の複素ミキサ、４  ＤＰＬＬ回路、５  第３の複素ミキサ、６  第４の複素ミキサ、７  第１のローパスフィルタ／サンプリングレート間引き回路、８  第１のローパスフィルタ、９  減算器、１０  加算器、１１  第２のローパスフィルタ、１２  雑音除去回路、１３  ミキサ、１４  第３のローパスフィルタ／サンプリングレート間引き回路、１５  コスタスループ回路、１６  ＲＤＳデコーダ
【図１】
0004036678.tif 000002